(57)【要約】【課題】縦姿勢のガラス板を、ガラス板の内側面から強くエアーフロート支持し、ガラス板の非接触搬送及び非接触搬送中のガラス板の自動取上げ動作を安定して行い得るエアーコンベアを提供すること。【解決手段】エアーコンベア１は、縦姿勢の状態で立設されて架設された横長の壁面板５の面前９を、ガラス板２を縦姿勢で、壁面板５と平行して直線搬送させるガラス板２の内側面３８と壁面板５とにより、周囲で開口した空間２５を形成し、空間２５へ、空間２５の下端４１の開口部４０からエアーを吹き込み、空間２５の上端の開口部３６から吹き抜けるエアー流体３５を空間２５に形成し、エアー流体３５の圧力により、搬送中のガラス板２の内側面３８をエアーフロート支持すると共にエアー流体３５でガラス板２を引き付けさせ、ガラス板２の縦姿勢を強く支持及び保持してガラス板２を縦姿勢で非接触搬送するようになっている。【選択図】図１
2015051859.tif 000002
【特許請求の範囲】
【請求項１】
縦姿勢の壁面板の面前を、ガラス板を縦姿勢の状態で当該壁面板に沿って直線搬送させるようにしたエアーコンベアであって、搬送中のガラス板と壁面板とにより周囲で開口した空間を形成し、この空間内へ当該空間の下端の開口部からエアーを吹き込み、空間の上端の開口部から吹き抜けるエアー流体を空間内に形成し、このエアー流体により搬送中のガラス板の内側面においてガラス板をエアーフロート支持すると共に壁面板に引き付けさせ、ガラス板を縦姿勢に保持して壁面板に対して非接触搬送させるようにしたエアーコンベア。  
【請求項２】
縦姿勢の状態で架設された壁面板と、この壁面板の面前の下方位置において、当該壁面板に沿って設けられ、壁面板の面前で縦姿勢のガラス板を下端において支持して直線搬送させるコンベアと、このコンベアで直線搬送されるガラス板の下端より高い位置に位置した壁面板の下端に、ガラス板の搬送方向に沿って設けられたエアー吹き出し口とを備え、壁面板と当該壁面板の面前を直線搬送されるガラス板とにより、周囲で開口した空間を形成し、エアー吹き出し口より吹き出したエアーを当該空間の下端から空間内に吹き込み、空間の上端の開口部から吹き抜けるエアー流体を空間に形成し、このエアー流体によりガラス板の内側面においてガラス板をエアーフロート支持してガラス板を縦姿勢に支持するようにしたエアーコンベア。
【発明の詳細な説明】
【技術分野】
【０００１】
本発明は、ガラス板を縦姿勢の状態とし、ガラス板の厚み方向の両面を非接触状態において、ガラス板を直線搬送するガラス板のエアーコンベアに関し、特に、本発明は、ガラス板を縦姿勢の状態とし、ガラス板の厚み方向の一方の面をエアーフロート支持しながら、ガラス板を直線搬送するガラス板のエアーコンベアに関する。
【０００２】
以下、本発明において、「ガラス板の厚み方向の面」は、「ガラス板の面」と、「ガラス板の厚み方向の両面」は、「ガラス板の両面」と、「ガラス板の厚み方向の一方の面」及び「ガラス板の厚み方向の内側面」は、「ガラス板の内側面」と夫々称す。
【背景技術】
【０００３】
従来、ガラス板をそのガラス板の面をエアーフロートして搬送する非接触搬送は、ガラス板の搬送通路の下方に支持部材を備え、この支持部材に設けた多数の貫通穴からガラス板の下面に向けてエアーを噴出させ、このエアーの噴出圧によってガラス板を支持部材から浮上させた状態で行っている。
【先行技術文献】
【特許文献】
【０００４】
【特許文献１】特開２０１３−１４４０４号公報
【発明の概要】
【発明が解決しようとする課題】
【０００５】
ガラス板を縦姿勢で非接触搬送を行う従来の一般的方式では、搬送するガラス板の背後に、ガラス板に平行に縦姿勢に立設された横長の壁面板を備え、この壁面板には、前面に多数の貫通穴が設けられ、この多数の貫通穴からのエアーの噴出によるエアー噴出圧によってガラス板をエアーフロートした状態で非接触搬送させているが、斯かるガラス板のエアーフロート支持は、貫通穴からのエアーの噴出圧自体によるため、エアーフロート支持力は弱く、逆に、エアー噴出圧を強くするとガラス板は前へ吹き倒されるため、エアー噴出圧を強く出来ず、従ってエアーフロート支持力は弱く、ガラス板の縦姿勢は不安定である。
【０００６】
本発明は、従来のガラス板のエアーコンベアの上記のような欠陥に鑑みてなされたもので、その目的とするところは、縦姿勢のガラス板を、ガラス板の内側面から強くエアーフロート支持し、ガラス板の非接触搬送及び非接触搬送中のガラス板の自動取上げ動作を安定して行い得るエアーコンベアを提供するにある。
【課題を解決するための手段】
【０００７】
本発明は、縦姿勢の壁面板の面前を、ガラス板を縦姿勢の状態で当該壁面板に沿って直線搬送させるようにしたエアーコンベアであって、搬送中のガラス板と壁面板とにより周囲で開口した空間を形成し、この空間内へ当該空間の下端の開口部からエアーを吹き込み、空間の上端の開口部から吹き抜けるエアー流体を空間内に形成し、このエアー流体により搬送中のガラス板の内側面においてガラス板をエアーフロート支持すると共に壁面板に引き付けさせ、ガラス板を縦姿勢に保持して壁面板に対して非接触搬送させるようにしたエアーコンベアである。
【０００８】
本発明はまた、縦姿勢の状態で架設された壁面板と、この壁面板の面前の下方位置において、当該壁面板に沿って設けられ、壁面板の面前で縦姿勢のガラス板を下端において支持して直線搬送させるコンベアと、このコンベアで直線搬送されるガラス板の下端より高い位置に位置した壁面板の下端に、ガラス板の搬送方向に沿って設けられたエアー吹き出し口とを備え、壁面板と当該壁面板の面前を直線搬送されるガラス板とにより、周囲で開口した空間を形成し、エアー吹き出し口より吹き出したエアーを当該空間の下端から空間に吹き込み、空間の上端の開口部から吹き抜けるエアー流体を空間に形成し、このエアー流体によりガラス板の内側面においてガラス板をエアーフロート支持してガラス板を縦姿勢に支持するようにしたエアーコンベアである。
【０００９】
即ち、本発明は、風量あるエアー流体の壁面板に作用する圧力（静圧）によって、ガラス板をエアーフロート支持するようにしたエアーコンベアである。
【発明の効果】
【００１０】
本発明は、縦姿勢の壁面板の面前を縦姿勢で直線搬送されるガラス板と当該壁面板との間に、当該ガラス板と壁面板とにより、周囲で開口した空間を形成し、この空間に、空間の下端の開口部からエアーを吹き込み、空間の上端の開口部から吹き抜けるエアー流体を形成するようになっているために、壁面板と対面するガラス板の内側面には、上昇するエアー流体の圧力（静圧）の作用によりガラス板の内側面がエアーフロート支持され、また、同時に、ガラス板の内側面は、エアー流体の流れに接しているためその外側面に比して圧力低下しており、ガラス板は外側面から押されエアー流体に引き付けられ、エアー流体に保持された状態となっている結果、縦姿勢のガラス板を、ガラス板の内側面から強くエアーフロート支持し、ガラス板の非接触搬送及び非接触搬送中でのガラス板の自動取上げ動作を安定して行い得る。
【００１１】
特に、空間の下端から吹き込み送風する風量を大きくすることにより、ガラス板のエアーフロート支持の支持力が強くなる共にエアー流体のガラス板を引き付け保持する力も強くなり、従って、ガラス板は、エアーによって縦姿勢が強く支持、保持されて搬送され、非接触搬送及び非接触搬送途中でのガラス板の自動取上げ動作を安定して行える。
【図面の簡単な説明】
【００１２】
【図１】図１は、本発明の好ましい一実施例の正面説明図である。
【図２】図２は、図１に示す例のＩＩ−ＩＩ線断面説明図である。
【図３】図３は、図１に示す例のエアー吹き出し口の一部の拡大断面説明図である。
【発明を実施するための形態】
【００１３】
以下、本発明の実施の形態の一例を、図面に基づいて説明する。
【００１４】
図１から図３において、本例のエアーコンベア１は、縦姿勢の状態で立設されて架設された横長の壁面板５の面前９を、ガラス板２を縦姿勢で、壁面板５と平行して直線搬送させるガラス板２の内側面３８と壁面板５とにより、周囲で開口した空間２５を形成し、空間２５へ、空間２５の下端４１の開口部４０からエアーを吹き込み、空間２５の上端の開口部３６から吹き抜けるエアー流体３５を空間２５に形成し、エアー流体３５の圧力により、搬送中のガラス板２の内側面３８をエアーフロート支持すると共にエアー流体３５でガラス板２を引き付けさせ、ガラス板２の縦姿勢を強く支持及び保持してガラス板２を縦姿勢で非接触搬送するようになっている。
【００１５】
縦姿勢のガラス板２は、その下端３において、ローラーコンベア４により支持され直線搬送される。
【００１６】
ローラーコンベア４は、壁面板５の面前９の下方位置８において、壁面板５と平行して配置されている。ローラーコンベア４は、ガラス板２の搬送方向において、間隔をもって配設した複数個のローラー１０を備える。各ローラー１０は駆動装置（図示無し）から駆動力を受けて回転し、縦姿勢のガラス板２を下端３において、支持し、且つ、直線搬送させる。
【００１７】
壁面板５は、ガラス板２の搬送される方向（横方向）においてガラス板２に対して十分に長く、横長である。
【００１８】
壁面板５は形状が横長の長方形であり、上端１６と下端６とは平行である。下端６は前端１４から後端１５に至って、直線状である。壁面板５の前面１９は、全体として平面（凹凸曲面、湾曲面等なく）である。
【００１９】
壁面板５は、ガラス板２の搬送方向に従って、前後に配設した基台１１に、縦姿勢の状態で架設されている。基台１１の夫々と壁面板５とは、ブラケット２９により固定されている。
【００２０】
架設された壁面板５の下端６は、ローラーコンベア４のガラス板２の支持搬送ライン１２より高い位置に位置し、間隔１３をもって、支持搬送ライン１２と平行になっている。
【００２１】
壁面板５の下端６には、前端１４から後端１５に至って、且つ、ガラス板２の搬送方向に沿って長尺状のエアー吹き出し口体７が装着されている。エアー吹き出し口体７には、ガラス板２の搬送方向に沿って細長く開口したエアー吹き出し口３１を備える。
【００２２】
エアー吹き出し口体７及びそのエアー吹き出し口３１は、ローラーコンベア４のガラス板２の支持搬送ライン１２より高い位置に位置する。
【００２３】
壁面板５の上端１６は、ガラス板２の上端１７より、常に高く位置している。
【００２４】
エアー吹き出し口体７は、長尺状の上リップ板２１と長尺状の下リップ板２２との向き合せで形成されている。
【００２５】
上リップ板２１の外面２３は円弧形状に曲がって形成されている。エアー吹き出し口体７からの吹き出されたエアーは、円弧形状の外面２３に沿って曲げられ、空間２５へ流入される。
【００２６】
上リップ板２１の上端縁２６は、壁面板５の下端６に突き合せ接続し、上リップ板２１の外面２３と壁面板５の前面１９を同一平面に形成してある。
【００２７】
上リップ板２１の下端縁２７は、壁面板５の前面１９より内方２４に入って位置しており、上リップ板２１の円弧形状の外面２３は、ガラス板２に対してやや斜め下向きとなっている。
【００２８】
下リップ板２２は、その上端縁２８を下方から上リップ板２１の円弧形状の外面２３に臨ませて配置し、外面２３との間に間隙３０を形成している。間隙３０がエアー吹き出し口３１となっている。
【００２９】
エアー吹き出し口３１である間隙３０は、壁面板５の前面１９の下端、即ち、壁面板５の下端６において、前端１４から後端１５に至って細長く同一幅に形成されている。  
【００３０】
上リップ板２１と下リップ板２２とは、壁面板５の下端６に沿って添い付けされたエアーチャンバーボックス３２から突設されて、上述の如くして間隙３０、即ち、エアー吹き出し口３１が形成されている。
【００３１】
間隙３０、即ち、エアー吹き出し口３１は、エアーチャンバーボックス３２内のエアーチャンバー３３に連通し、エアーは、エアーチャンバー３３からエアー圧力をもってエアー吹き出し口３１に圧送供給される。エアーチャンバーボックス３２には、必要エアー圧、風量を発生し、エアーチャンバー３３にエアー圧をもってエアーを供給するブロワー３４が接続されている。
【００３２】
エアー吹き出し口３１は、壁面板５の下端６において、前端１４から後端１５の全幅に至って開口しているため、吹き出しエアーが、壁面板５の下端６の全幅にわたって吹き出す。
【００３３】
エアー吹き出し口３１から吹き出したエアーの流れは、上リップ板２１の円弧形状の外面２３に沿って上向きに曲げられ、壁面板５の前面１９の方向に上に向い、そして、直線搬送中のガラス板２の位置において、ガラス板２の内側面３８と壁面板５とにより形成された空間２５へ下端の開口部４０から十分な風量をもってエアーが吹き込まれ続けられる。
【００３４】
空間２５に吹き込まれたエアーは、空間２５をエアー流体３５となって、上昇し、空間２５の上端の開口部３６から外部３７へ吹き抜ける。
【００３５】
このとき、空間２５を形成するガラス板２の内側面３８は、エアー流体３５から圧力（側圧）を受け、エアーフロート支持されると共に、ガラス板２の内側面３８は、エアー流体３５の流れに接しているため、ガラス板２の外側面３９に比して圧力低下を受けるようになっており、ガラス板２の外側面３９から押され、ガラス板２は、エアー流体３５の流れに引き付けられた状態で、且つ、縦姿勢が強く保持された状態で非接触搬送される。
【符号の説明】
【００３６】
１  エアーコンベア
２  ガラス板
３  下端
４  ローラーコンベア
５  壁面板
６  下端
８  下方位置
９  面前
１０  ローラー
１１  基台
１２  支持搬送ライン
１３  間隔
１６  上端
１９  前面
２５  空間
３５  エアー流体
３６、４０  開口部
３８  内側面
４１  下端
【図１】
2015051859.tif 000003
【図２】
2015051859.tif 000004
【図３】
2015051859.tif 000005